(57)【要約】【課題】画像の輝度及び色度を正確に診断できる画像診断装置などを提供する。【解決手段】画像診断装置１０は、撮像装置６０と、撮像装置６０を収容する筐体２０と、筐体２０に着脱自在に取り付けられる表示装置４０とを備え、表示装置４０は、撮像装置６０によって撮像された１以上の画像を表示する有機ＥＬ表示パネル４４と、無線通信を行う第一通信部４１とを有する。【選択図】図２
2020124317.tif 000002
【特許請求の範囲】
【請求項１】
撮像装置と、
前記撮像装置を収容する筐体と、
前記筐体に着脱自在に取り付けられる表示装置とを備え、
前記表示装置は、
前記撮像装置によって撮像された１以上の画像を表示する有機ＥＬ（Ｅｌｅｃｔｒｏ−Ｌｕｍｉｎｅｓｃｅｎｃｅ）表示パネルと、
無線通信を行う第一通信部とを有する
画像診断装置。
【請求項２】
前記表示装置は、前記１以上の画像のうち、同一の撮像対象が撮像された複数の画像を表示する
請求項１に記載の画像診断装置。
【請求項３】
前記表示装置は、前記表示装置の輝度を補正する輝度補正部をさらに備える
請求項１に記載の画像診断装置。
【請求項４】
前記表示装置は、前記表示装置の累積点灯時間を取得する点灯時間取得部をさらに有する
請求項３に記載の画像診断装置。
【請求項５】
前記表示装置は、前記累積点灯時間を表示する
請求項４に記載の画像診断装置。
【請求項６】
前記輝度補正部は、前記累積点灯時間に基づいて前記表示装置の輝度を補正する
請求項４又は５に記載の画像診断装置。
【請求項７】
前記撮像装置は、マイクロスコープを有する
請求項１〜６のいずれか１項に記載の画像診断装置。
【請求項８】
前記撮像装置は、超音波撮像装置である
請求項１〜６のいずれか１項に記載の画像診断装置。
【請求項９】
前記撮像装置は、無線通信を行う第二通信部を有する
請求項１〜８のいずれか１項に記載の画像診断装置。
【請求項１０】
前記筐体は、前記筐体において使用される電力を供給する電源を有する
請求項１〜９のいずれか１項に記載の画像診断装置。
【請求項１１】
前記筐体は、前記表示装置及び前記撮像装置の少なくとも一方を充電する充電部を有する
請求項１〜１０のいずれか１項に記載の画像診断装置。
【請求項１２】
第一表示装置と、
第二表示装置とを備え、
前記第一表示装置及び前記第二表示装置の各々は、有機ＥＬ表示パネルを有し、
前記第一表示装置及び前記第二表示装置は、同一の１以上の画像を表示する
画像診断システム。
【請求項１３】
前記第一表示装置及び前記第二表示装置は、同一のレイアウトで前記１以上の画像を表示する
請求項１２に記載の画像診断システム。
【請求項１４】
前記第一表示装置及び前記第二表示装置は、同時に前記１以上の画像を表示する
請求項１２又は１３に記載の画像診断システム。
【請求項１５】
前記第一表示装置及び前記第二表示装置は、前記１以上の画像の色情報を表示する
請求項１２〜１４のいずれか１項に記載の画像診断システム。
【請求項１６】
前記色情報は、色度情報を含む
請求項１５に記載の画像診断システム。
【請求項１７】
前記第一表示装置は、前記第一表示装置の輝度を補正する第一輝度補正部をさらに有し、
前記第二表示装置は、前記第二表示装置の輝度を補正する第二輝度補正部をさらに有する
請求項１２〜１６のいずれか１項に記載の画像診断システム。
【請求項１８】
前記第一表示装置は、前記第一表示装置の累積点灯時間を取得する第一点灯時間取得部をさらに有し、
前記第二表示装置は、前記第二表示装置の累積点灯時間を取得する第二点灯時間取得部をさらに有する
請求項１７に記載の画像診断システム。
【請求項１９】
前記第一表示装置は、前記第一表示装置の累積点灯時間を表示し、
前記第二表示装置は、前記第二表示装置の累積点灯時間を表示する
請求項１８に記載の画像診断システム。
【請求項２０】
前記第一輝度補正部は、前記第一表示装置の累積点灯時間に基づいて前記第一表示装置の輝度を補正し、
前記第二輝度補正部は、前記第二表示装置の累積点灯時間に基づいて前記第二表示装置の輝度を補正する
請求項１８又は１９に記載の画像診断システム。
【請求項２１】
前記第二輝度補正部は、前記第二表示装置の累積点灯時間が、前記第一表示装置の累積点灯時間より短い場合に、前記第一表示装置の累積点灯時間に基づいて、前記第二表示装置の輝度を低減させる補正を行う
請求項１８〜２０のいずれか１項に記載の画像診断システム。
【請求項２２】
第一表示装置及び第二表示装置を用いる画像診断方法であって、
前記第二表示装置及び前記第一表示装置の各々は、有機ＥＬ表示パネルを有し、
前記画像診断方法は、
１以上の画像を取得するステップと、
前記第一表示装置において、前記１以上の画像を表示するステップと、
前記第一表示装置に表示された前記１以上の画像の色情報を前記第一表示装置の外部から測定するステップと、
前記１以上の画像及び前記色情報を前記第一表示装置及び前記第二表示装置に表示するステップとを含む
画像診断方法。
【請求項２３】
第一表示装置と、第二表示装置とを備え、
前記第一表示装置及び前記第二表示装置の各々は、有機ＥＬ表示パネルを有し、
前記第一表示装置は、前記第一表示装置の累積点灯時間を取得する第一点灯時間取得部をさらに有し、
前記第二表示装置は、
前記第二表示装置の輝度を補正する第二輝度補正部と、
前記第二表示装置の累積点灯時間を取得する第二点灯時間取得部とをさらに有し、
前記第二輝度補正部は、前記第二表示装置の累積点灯時間が、前記第一表示装置の累積点灯時間より短い場合に、前記第一表示装置の累積点灯時間に基づいて、前記第二表示装置の輝度を低減させる補正を行う
画像診断システム。
【発明の詳細な説明】
【技術分野】
【０００１】
本開示は、画像診断装置、画像診断システム及び画像診断方法に関する。
【背景技術】
【０００２】
従来、表示装置に画像を表示し、表示された画像を観察又は診断する方法が知られている（例えば、特許文献１）。
【０００３】
特許文献１に開示された発明においては、表示装置に表示された顔画像に基づいて所望の化粧方法を選択しようとしている。
【先行技術文献】
【特許文献】
【０００４】
【特許文献１】特開２０００−３３９３３１号公報
【発明の概要】
【発明が解決しようとする課題】
【０００５】
特許文献１に記載された方法のように表示装置に表示された顔画像を観察する際、例えば、１０インチ型以上の液晶表示パネルを有する表示装置を用いる場合、表示装置の画面内で輝度が一様でなかったり、視野角によって輝度が変化したりする。さらに、液晶表示パネルにおいては、輝度の変化に伴う色度の変化が比較的大きい。このように、顔画像の輝度及び色度が視野角などに応じて変化するため、正確に顔画像を認識できないという問題がある。
【０００６】
本開示は、上記の課題に鑑みてなされたものであり、画像の輝度及び色度を正確に診断できる画像診断装置などを提供することを目的とする。
【課題を解決するための手段】
【０００７】
上記目的を達成するために、本開示の一態様に係る画像診断装置は、撮像装置と、前記撮像装置を収容する筐体と、前記筐体に着脱自在に取り付けられる表示装置とを備え、前記表示装置は、前記撮像装置によって撮像された１以上の画像を表示する有機ＥＬ（Ｅｌｅｃｔｒｏ−Ｌｕｍｉｎｅｓｃｅｎｃｅ）表示パネルと、無線通信を行う第一通信部とを有する。
【０００８】
また、上記目的を達成するために、本開示の一態様に係る画像診断システムは、第一表示装置と、第二表示装置とを備え、前記第一表示装置及び前記第二表示装置の各々は、有機ＥＬ表示パネルを有し、前記第一表示装置及び前記第二表示装置は、同一の１以上の画像を表示する。
【０００９】
また、上記目的を達成するために、本開示の一態様に係る画像診断方法は、第一表示装置及び第二表示装置を用いる画像診断方法であって、前記第二表示装置及び前記第一表示装置の各々は、有機ＥＬ表示パネルを有し、前記画像診断方法は、１以上の画像を取得するステップと、前記第一表示装置において、前記１以上の画像を表示するステップと、前記第一表示装置に表示された前記１以上の画像の色情報を前記第一表示装置の外部から測定するステップと、前記１以上の画像及び前記色情報を前記第一表示装置及び前記第二表示装置に表示するステップとを含む。
【００１０】
また、上記目的を達成するために、本開示の一態様に係る画像診断システムは、第一表示装置と、第二表示装置とを備え、前記第一表示装置及び前記第二表示装置の各々は、有機ＥＬ表示パネルを有し、前記第一表示装置は、前記第一表示装置の累積点灯時間を取得する第一点灯時間取得部をさらに有し、前記第二表示装置は、前記第二表示装置の輝度を補正する第二輝度補正部と、前記第二表示装置の累積点灯時間を取得する第二点灯時間取得部とをさらに有し、前記第二輝度補正部は、前記第二表示装置の累積点灯時間が、前記第一表示装置の累積点灯時間より短い場合に、前記第一表示装置の累積点灯時間に基づいて、前記第二表示装置の輝度を低減させる補正を行う。
【発明の効果】
【００１１】
本開示によれば、画像の輝度及び色度を正確に診断できる画像診断装置などを提供できる。
【図面の簡単な説明】
【００１２】
【図１】図１は、実施の形態１に係る画像診断装置の外観を示す模式的な斜視図である。
【図２】図２は、実施の形態１に係る画像診断装置の内部を示す模式的な斜視図である。
【図３】図３は、実施の形態１に係る画像診断装置の使用態様の一例を示す模式的な斜視図である。
【図４】図４は、実施の形態１に係る筐体の機能構成を示すブロック図である。
【図５】図５は、実施の形態１に係る表示装置の機能構成を示すブロック図である。
【図６】図６は、実施の形態１に係る撮像装置の機能構成を示すブロック図である。
【図７】図７は、実施の形態１に係る画像診断装置の使用態様の一例を示す模式図である。
【図８】図８は、実施の形態１に係る表示装置に表示される画面の一例を示す模式図である。
【図９】図９は、比較例の液晶表示パネル及び実施の形態１に係る有機ＥＬ表示パネルの輝度色度特性を示すグラフである。
【図１０】図１０は、有機ＥＬ発光素子の累積点灯時間と、輝度との関係を示す模式的なグラフである。
【図１１】図１１は、実施の形態２に係る画像診断システムの概略構成を示すブロック図である。
【図１２】図１２は、実施の形態２に係る第一表示装置の機能構成を示すブロック図である。
【図１３】図１３は、実施の形態２に係る第二表示装置の機能構成を示すブロック図である。
【図１４】図１４は、実施の形態２に係る画像診断方法を示すフローチャートである。
【図１５】図１５は、実施の形態２に係る第一表示装置及び第二表示装置における１以上の画像及び色情報の表示例を示す図である。
【発明を実施するための形態】
【００１３】
以下、本開示の実施の形態について、図面を用いて説明する。なお、以下に説明する実施の形態は、いずれも本開示における一具体例を示すものである。したがって、以下の実施の形態で示される、数値、形状、材料、構成要素、構成要素の配置位置及び接続形態、工程、並びに、工程の順序などは、一例であって本開示を限定する主旨ではない。よって、以下の実施の形態における構成要素のうち、本開示における最上位概念を示す独立請求項に記載されていない構成要素については、任意の構成要素として説明される。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
（実施の形態１）
実施の形態１に係る画像診断装置について説明する。
【００１６】
［１−１．画像診断装置の全体構成］
まず、本実施の形態に係る画像診断装置の全体構成について図面を用いて説明する。図１は、本実施の形態に係る画像診断装置１０の外観を示す模式的な斜視図である。図２は、本実施の形態に係る画像診断装置１０の内部を示す模式的な斜視図である。図３は、本実施の形態に係る画像診断装置１０の使用態様の一例を示す模式的な斜視図である。
【００１７】
本実施の形態に係る画像診断装置１０は、図１〜図３に示されるように、筐体２０と、表示装置４０とを備える。図２及び図３に示されるように、画像診断装置１０は、撮像装置６０をさらに備える。本実施の形態では、画像診断装置１０は、撮像装置６０に用いられるレンズモジュール８０をさらに備える。
【００１８】
筐体２０は、撮像装置６０を収容する容器である。図１〜図３に示される例では、筐体２０は、直方体状の形状を有するが、筐体２０の形状はこれに限定されず、例えば、円筒状などであってもよい。本実施の形態では、筐体２０は、長方形状の開口部を有し、当該開口部に表示装置４０が配置されることで、当該開口部が覆われる。筐体２０の開口部から筐体２０の内部に撮像装置６０及びレンズモジュール８０が収容される。筐体２０は、表示装置４０を着脱自在に固定する固定部材を有してもよい。固定部材として、例えば、磁石などを用いることができる。
【００１９】
以下、本実施の形態に係る筐体２０の機能構成について、図４を用いて説明する。図４は、本実施の形態に係る筐体２０の機能構成を示すブロック図である。図４に示されるように、筐体２０は、機能的には、電源２２と、充電部２４とを有する。電源２２は、筐体２０において使用される電力を供給する電力源である。電源２２は、電力を供給できる電力源であれば、特に限定されない。電源２２として、例えば、充電池（言い換えると、二次電池）などを用いることができる。充電部２４は、表示装置４０及び撮像装置６０の少なくとも一方を充電する機器である。充電部２４は、表示装置４０及び撮像装置６０の少なくとも一方を充電できるものであれば特に限定されない。充電部２４として、例えば、ワイヤレス給電を行う充電器などを用いることができる。また、充電部２４は、表示装置４０及び撮像装置６０をそれぞれ充電する二つの充電器を含んでもよい。
【００２０】
表示装置４０は、診断対象である１以上の画像を表示する装置である。図１及び図２に示されるように、表示装置４０は、筐体２０の開口部を覆う蓋としても機能する。また、図１〜図３に示されるように、表示装置４０は、タブレット状の形状を有し、筐体２０に着脱自在に取り付けられる。図２及び図３に示されるように表示装置４０は、画像を表示する有機ＥＬ（Ｅｌｅｃｔｒｏ−Ｌｕｍｉｎｅｓｃｅｎｃｅ）表示パネル４４を有する。図２に示されるように表示装置４０は、ユーザが有機ＥＬ表示パネル４４に表示される画像を観察できる角度で筐体２０に固定できる。
【００２１】
以下、本実施の形態に係る表示装置４０の機能構成について、図５を用いて説明する。図５は、本実施の形態に係る表示装置４０の機能構成を示すブロック図である。図５に示されるように、表示装置４０は、機能的には、有機ＥＬ表示パネル４４と、第一通信部４１とを有する。本実施の形態では、表示装置４０は、さらに、制御部４３と、記憶部４２と、輝度補正部４５と、点灯時間取得部４６と、電源４７と、操作部４８とを有する。
【００２２】
有機ＥＬ表示パネル４４は、撮像装置６０によって撮像された１以上の画像を表示する表示パネルである。有機ＥＬ表示パネル４４は、複数の画素を有する。複数の画素の各々は、有機ＥＬ発光素子を有する。本実施の形態では、複数の画素の各々は、ＲＧＢの三色にそれぞれ対応する三つのサブ画素を有する。三つのサブ画素の各々は、有機ＥＬ発光素子を有する。これにより、映像信号に応じて各有機ＥＬ発光素子の輝度を制御することにより、映像信号に対応する輝度及び色度で画像を表示できる。
【００２３】
第一通信部４１は、無線通信を行う。本実施の形態では、第一通信部４１は、撮像装置６０と無線通信を行う。なお、第一通信部４１は、撮像装置６０以外の機器と無線通信を行ってもよい。第一通信部４１は、例えば、ＷｉＦｉ（登録商標）、Ｂｌｕｅｔｏｏｔｈ（登録商標）などの規格に基づく無線通信を行う。
【００２４】
制御部４３は、表示装置４０を制御する処理部である。本実施の形態では、制御部４３は、有機ＥＬ表示パネル４４、第一通信部４１、記憶部４２及び輝度補正部４５を制御する。制御部４３は、例えば、プロセッサ、及び、プロセッサに処理を実行させるためのプログラムを記憶するメモリなどを用いて実現できる。
【００２５】
記憶部４２は、表示装置４０に表示される画像データを記憶するメモリである。記憶部４２は、他のデータを記憶してもよい。記憶部４２は、例えば、画像データに対応する色情報などを記憶してもよい。
【００２６】
点灯時間取得部４６は、表示装置４０の累積点灯時間を取得する。より詳しくは、点灯時間取得部４６は、表示装置４０の有機ＥＬ表示パネル４４が点灯されている時間を測定し、その累積値を保持する。有機ＥＬ表示パネル４４に含まれる有機ＥＬ発光素子の輝度は、累積点灯時間に応じて低下する。このため、点灯時間取得部４６が取得する累積点灯時間によって、表示装置４０の輝度の低下量を推測できる。
【００２７】
輝度補正部４５は、表示装置４０の輝度を補正する処理部である。ここで、表示装置４０の輝度とは、表示装置４０に含まれる複数の画素の各々の輝度を意味する。より詳しくは、輝度を最大とする映像信号に対応して発光する各画素の輝度を意味する。上述のとおり、有機ＥＬ表示パネル４４に含まれる有機ＥＬ発光素子の輝度は、累積点灯時間に応じて低下する。このため、表示装置４０の累積点灯時間に応じて、表示装置４０の輝度が低下する。そこで、輝度補正部４５は、有機ＥＬ発光素子に供給する電流を補正することによって、表示装置４０の輝度を補正する。なお、輝度補正部４５は、必ずしも、輝度を増大させる補正を行わなくてもよい。例えば、輝度補正部４５は、表示装置４０の輝度を低減させる補正を行ってもよい。
【００２８】
電源４７は、表示装置４０で使用される電力を供給する電力源である。本実施の形態では、電源４７は、筐体２０が有する充電部２４によって充電される充電池である。
【００２９】
操作部４８は、表示装置４０を操作するための信号入力部である。ユーザは、操作部４８を用いて表示装置４０を操作できる。操作部４８として例えば、有機ＥＬ表示パネル４４と一体化されたタッチパネルなどを用いることができる。
【００３０】
撮像装置６０は、画像診断装置１０において診断する画像を撮像する装置である。撮像装置６０の構成は、診断対象に応じて適宜選択され得る。本実施の形態では、撮像装置６０は、マイクロスコープと、撮像素子とを有する。撮像装置６０は、図２に示されるように、筐体２０に収容可能である。
【００３１】
以下、本実施の形態に係る撮像装置６０の機能構成について、図６を用いて説明する。図６は、本実施の形態に係る撮像装置６０の機能構成を示すブロック図である。図６に示されるように、撮像装置６０は、機能的には、マイクロスコープ６５と、撮像素子６４と、第二通信部６１とを有する。本実施の形態では、撮像装置６０は、さらに、制御部６３と、記憶部６２と、電源６７とを有する。
【００３２】
撮像素子６４は、画像データを取得する素子である。撮像素子６４は、撮像素子６４に結像された画像に対応する画像データを生成する。撮像素子６４として例えば、ＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサなどを用いることができる。
【００３３】
マイクロスコープ６５は、撮像対象を光学的に拡大して撮像素子６４に結像する光学機器である。マイクロスコープ６５は、着脱自在なレンズモジュールを有してもよい。また、レンズモジュールは、筐体２０に収容されるレンズモジュール８０と交換できてもよい。
【００３４】
第二通信部６１は、無線通信を行う。本実施の形態では、第二通信部６１は、表示装置４０と無線通信を行う。なお、第二通信部６１は、表示装置４０以外の機器と無線通信を行ってもよい。第二通信部６１は、例えば、ＷｉＦｉ（登録商標）、Ｂｌｕｅｔｏｏｔｈ（登録商標）などの規格に基づく無線通信を行う。
【００３５】
制御部６３は、撮像装置６０を制御する処理部である。本実施の形態では、制御部６３は、撮像素子６４、第二通信部６１及び記憶部６２を制御する。制御部６３は、例えば、プロセッサ、及び、プロセッサに処理を実行させるためのプログラムを記憶するメモリなどを用いて実現できる。
【００３６】
記憶部６２は、撮像素子６４によって取得された画像データを記憶するメモリである。記憶部６２は、他のデータを記憶してもよい。記憶部６２は、例えば、画像データに対応する色情報などを記憶してもよい。
【００３７】
電源６７は、撮像装置６０で使用される電力を供給する電力源である。本実施の形態では、電源６７は、筐体２０が有する充電部２４によって充電される充電池である。
【００３８】
［１−２．使用態様］
次に、本実施の形態に係る画像診断装置１０の使用態様について図７及び図８を用いて説明する。図７は、本実施の形態に係る画像診断装置１０の使用態様の一例を示す模式図である。図８は、本実施の形態に係る表示装置４０に表示される画面の一例を示す模式図である。
【００３９】
図７に示されるように、本実施の形態に係る画像診断装置１０の撮像装置６０によって、ユーザの肌を撮像してもよい。撮像装置６０によって撮像された画像データは、第二通信部６１及び第一通信部４１によって、表示装置４０に送られる。表示装置４０に送られた画像データは、有機ＥＬ表示パネル４４に表示される。有機ＥＬ表示パネル４４には、例えば、図８に示されるような画面が表示される。図８に示される画面には、ユーザが撮像した画像データが所定のレイアウトで表示されている。このように、ユーザは、撮像装置６０によって撮像した画像データを、表示装置４０に表示し、表示された画面によって画像を診断できる。
【００４０】
本実施の形態に係る表示装置４０は、撮像装置６０によって撮像された１以上の画像を表示する有機ＥＬ表示パネル４４を備える。ここで、有機ＥＬ表示パネル４４の輝度色度特性について図９を用いて説明する。図９は、比較例の液晶表示パネル及び本実施の形態に係る有機ＥＬ表示パネル４４の輝度色度特性を示すグラフである。図９のグラフ（ａ１）及び（ａ２）は、各表示パネルにおいて白色を表示した場合の輝度色度特性を示す。図９のグラフ（ｂ１）及び（ｂ２）は、各表示パネルにおいて肌色を表示した場合の輝度色度特性を示す。グラフ（ａ１）及びグラフ（ｂ１）は、輝度と、色度のｘ値との関係を示し、グラフ（ａ２）及びグラフ（ｂ２）は、輝度と、色度のｙ値との関係を示す。グラフ（ａ３）及びグラフ（ｂ３）は、輝度と、色温度との関係を示す。各図の実線及び破線は、それぞれ、本実施の形態に係る有機ＥＬ表示パネル４４及び比較例の液晶表示パネルの特性を示す。
【００４１】
各グラフに示されるように、白色及び肌色のいずれの場合においても、比較例の液晶表示パネルにおいては、輝度に応じて色度及び色温度が大きく変化する。一方、本実施の形態に係る有機ＥＬ表示パネル４４では、輝度が変化しても色度及び色温度はほとんど変化しない。
【００４２】
また、比較例の液晶表示パネルでは、画面内で輝度が一様でなかったり、視野角によって輝度が変化したりし得るが、本実施の形態に係る有機ＥＬ表示パネル４４によれば、このような輝度の変化は抑制される。
【００４３】
以上のように、本実施の形態に係る画像診断装置１０によれば、表示装置４０が有機ＥＬ表示パネル４４を有することで、画像の輝度及び色度を正確に診断できる。
【００４４】
また、図９に示されるように、表示装置４０は、撮像装置６０によって撮像された１以上の画像のうち、同一の撮像対象が撮像された複数の画像を表示してもよい。これにより、同一画面内において、同一の撮像対象の画像を診断できるため、容易に、画像を比較できる。例えば、撮像タイミングの異なる複数の同一撮像対象の画像を診断することで、画像の継時的変化を診断できる。
【００４５】
また、表示装置４０は、有機ＥＬ表示パネル４４を有するため、画面内における輝度を一様にできるため、複数の画像を並べて診断する際に、複数の画像を正確に比較できる。
【００４６】
［１−３．輝度補正］
次に、本実施の形態に係る表示装置４０の輝度補正について説明する。図１０は、有機ＥＬ発光素子の累積点灯時間と、輝度との関係を示す模式的なグラフである。図１０に示されるグラフにおいては、有機ＥＬ発光素子に所定の同一の電流を流し続けた場合の累積点灯時間と輝度との関係が実線で示されている。図１０には、輝度補正後の輝度と累積点灯時間との関係も併せて破線で示されている。
【００４７】
図１０の実線で示されるように、有機ＥＬ発光素子は、累積点灯時間に応じて劣化が進むため、所定の同一の電流を流し続けていても輝度は徐々に低下する。ここで、表示装置４０の輝度補正部４５は、有機ＥＬ発光素子に供給する電流を増大させることで、輝度を補正する。これにより、図１０の破線で示されるように、輝度を増大させることができる。ただし、有機ＥＬ発光素子に供給する電流の増大量には、限りがあるため、所定の輝度幅ΔＢｍ以上の輝度の補正はできない。
【００４８】
例えば、図１０に示される累積点灯時間ｔ２までの範囲では、有機ＥＬ発光素子の劣化に伴う輝度の初期値（図１０の縦軸の１００％の点）からの低下量はΔＢｍ以下であるため、輝度を初期値まで補正できる。累積点灯時間ｔ１においては、輝度をΔＢ１（＜ΔＢｍ）だけ補正することで、輝度を初期値まで補正できる。
【００４９】
一方、累積点灯時間ｔ２以上の範囲では、有機ＥＬ発光素子の劣化に伴う輝度の初期値（図１０の縦軸の１００％の点）からの低下量はΔＢｍ以上であるため、輝度を初期値まで補正できない。したがって、図１０に破線で示されるように、累積点灯時間ｔ２以上においては、有機ＥＬ発光素子の補正後の輝度は、累積点灯時間が長くなるにしたがって減少する。なお、図１０では、簡単のため、補正可能な輝度幅ΔＢｍを累積点灯時間に依らず一定として説明したが、補正可能な輝度幅ΔＢｍが累積点灯時間に応じて変化してもよい。
【００５０】
以上のように、累積点灯時間は、輝度に影響する重要な数値であるため、表示装置は、累積点灯時間を表示してもよい。具体的には、表示装置４０の制御部４３は、点灯時間取得部４６から累積点灯時間のデータを取得し、有機ＥＬ表示パネル４４に当該累積点灯時間を表示させてもよい。これにより、ユーザは、輝度補正をすべきタイミングを検知できる。なお、所定の累積点灯時間において、表示装置４０は、ユーザに輝度補正を促すメッセージなどを表示してもよい。このメッセージを見たユーザは、操作部４８を用いて表示装置４０に輝度補正を実行させてもよい。
【００５１】
なお、表示装置４０は、常に、輝度が初期値に近づくように補正してもよい。これにより、ユーザが操作することなく表示装置４０の輝度を補正できる。
【００５２】
（実施の形態２）
実施の形態２に係る画像診断システムについて説明する。本実施の形態に係る画像診断システムは、主に、二つの表示装置を用いるシステムである点において、実施の形態１に係る画像診断装置１０と相違する。以下、本実施の形態に係る画像診断システムについて、実施の形態１に係る画像診断装置１０との相違点を中心に説明する。
【００５３】
［２−１．全体構成］
まず、本実施の形態に係る画像診断システムの全体構成について図１１を用いて説明する。図１１は、本実施の形態に係る画像診断システム３００の概略構成を示すブロック図である。
【００５４】
図１１に示されるように、画像診断システム３００は、第一表示装置１４０と、第二表示装置２４０とを備える。本実施の形態においては、画像診断システム３００は、色情報測定装置１７０と、撮像装置６０とをさらに備える。
【００５５】
第一表示装置１４０は、診断対象である１以上の画像を表示する装置である。以下、第一表示装置１４０の機能構成について、図１２を用いて説明する。図１２は、本実施の形態に係る第一表示装置１４０の機能構成を示すブロック図である。図１２に示されるように、第一表示装置１４０は、機能的には、有機ＥＬ表示パネル１４４を有する。本実施の形態では、第一表示装置１４０は、さらに、第一通信部１４１と、制御部１４３と、記憶部１４２と、第一輝度補正部１４５と、第一点灯時間取得部１４６と、電源１４７と、操作部１４８とを有する。なお、本実施の形態に係る第一通信部１４１は、第二表示装置２４０と通信を行うことができる。
【００５６】
第一表示装置１４０の有機ＥＬ表示パネル１４４、第一通信部１４１、制御部１４３、記憶部１４２、第一点灯時間取得部１４６、電源１４７及び操作部１４８は、それぞれ、実施の形態１に係る表示装置４０の有機ＥＬ表示パネル４４、第一通信部４１、制御部４３、記憶部４２、点灯時間取得部４６、電源４７及び操作部４８と同様の構成を有する。
【００５７】
第一輝度補正部１４５は、第一表示装置１４０の輝度を補正する処理部である。第一輝度補正部１４５は、第一点灯時間取得部１４６によって取得された第一表示装置１４０の累積点灯時間に基づいて第一表示装置１４０の輝度を補正する。また、本実施の形態では、第一輝度補正部１４５は、第二表示装置２４０の累積点灯時間に基づいて第一表示装置１４０の輝度を補正してもよい。
【００５８】
色情報測定装置１７０は、第一表示装置１４０に表示された１以上の画像の色情報を第一表示装置１４０の外部から測定する装置である。色情報測定装置１７０として、例えば、色彩輝度計を用いることができる。この場合、第一表示装置１４０に表示された画像の色度及び輝度を測定できる。色情報測定装置１７０は、測定によって取得した１以上の画像の色情報を第一表示装置１４０に送信する。
【００５９】
第二表示装置２４０は、診断対象である１以上の画像を表示する装置である。以下、第二表示装置２４０の機能構成について、図１３を用いて説明する。図１３は、本実施の形態に係る第二表示装置２４０の機能構成を示すブロック図である。図１３に示されるように、第二表示装置２４０は、機能的には、有機ＥＬ表示パネル２４４を有する。本実施の形態では、第二表示装置２４０は、さらに、第一通信部２４１と、制御部２４３と、記憶部２４２と、第二輝度補正部２４５と、第二点灯時間取得部２４６と、電源２４７と、操作部２４８とを有する。なお、本実施の形態に係る第一通信部２４１は、第一表示装置１４０と通信を行うことができる。
【００６０】
第二表示装置２４０の有機ＥＬ表示パネル２４４、第一通信部２４１、制御部２４３、記憶部２４２、第二点灯時間取得部２４６、電源２４７及び操作部２４８は、それぞれ、実施の形態１に係る表示装置４０の有機ＥＬ表示パネル４４、第一通信部４１、制御部４３、記憶部４２、点灯時間取得部４６、電源４７及び操作部４８と同様の構成を有する。
【００６１】
第二輝度補正部２４５は、第二表示装置２４０の輝度を補正する処理部である。第二輝度補正部２４５は、第二点灯時間取得部２４６によって取得された第二表示装置２４０の累積点灯時間に基づいて第二表示装置２４０の輝度を補正する。また、本実施の形態では、第二輝度補正部２４５は、第一表示装置１４０の累積点灯時間に基づいて第二表示装置２４０の輝度を補正してもよい。
【００６２】
撮像装置６０は、実施の形態１に係る撮像装置６０と同様の構成を有する。
【００６３】
［２−２．画像診断方法］
次に、本実施の形態に係る画像診断システム３００を用いた画像診断方法について説明する。画像診断システム３００は、例えば、撮像装置６０によって撮像された１以上の画像を診断するサービスにおいて使用される。以下、このようなサービスにおける画像診断方法について図１１及び図１４を用いて説明する。図１４は、本実施の形態に係る画像診断方法を示すフローチャートである。
【００６４】
まず、図１４に示されるように、サービス利用者は、診断対象である１以上の画像を取得する（Ｓ１２）。サービス利用者は、例えば、図１１に示される撮像装置６０を用いて１以上の画像を取得する。サービス利用者は、取得した１以上の画像の画像データを第二表示装置２４０を用いて、サービス提供者の第一表示装置１４０に送信する。
【００６５】
次に、サービス提供者は、第一表示装置１４０において、サービス利用者から受信した１以上の画像を表示する（Ｓ１４）。ここで、第一表示装置１４０は、有機ＥＬ表示パネル１４４を有することから、正確な色度及び輝度で１以上の画像を表示できる。
【００６６】
次に、サービス提供者は、第一表示装置１４０に表示された１以上の画像の色情報を第一表示装置１４０の外部から測定する（Ｓ１６）。サービス提供者は、例えば、図１１に示される色情報測定装置１７０を用いて１以上の画像の色度情報などの色情報を測定する。ここで、第一表示装置１４０には、正確な色度及び輝度で１以上の画像が表示されていることから、色情報測定装置１７０によって、正確に色情報を測定できる。したがって、色情報測定装置１７０によって１以上の画像の色度及び輝度を測定することで、１以上の画像の色度及び輝度を正確に診断できる。色情報測定装置１７０によって測定された色情報は、第一表示装置１４０に送信される。また、第一表示装置１４０は、当該色情報を第二表示装置２４０に送信する。
【００６７】
次に、１以上の画像及び色情報を第一表示装置１４０及び第二表示装置２４０に表示する（Ｓ１８）。ここで、第一表示装置１４０及び第二表示装置２４０における１以上の画像及び色情報の表示例について、図１５を用いて説明する。図１５は、本実施の形態に係る第一表示装置１４０及び第二表示装置２４０における１以上の画像及び色情報の表示例を示す図である。図１５に示されるように、第一表示装置１４０及び第二表示装置２４０には１以上の画像Ｉｐと、色情報Ｉｉとが表示される。図１５に示される画像Ｉｐは、様々な日時に撮像された略同じ位置の顔の一部の複数の画像である。これらの複数の画像は例えば、時系列に並べられていてもよい。図１５に示される色情報Ｉｉは、画像Ｉｐに含まれる各画像の色情報を示す。図１５に示される例では、色情報Ｉｉは、画像Ｉｐにおける顔の一部の色情報の経時変化を示す。より具体的には、色情報Ｉｉは、色度ｘ、色度ｙ及び色温度と撮像日時との関係を示すグラフである。
【００６８】
このように、第一表示装置１４０及び第二表示装置２４０は、同一の１以上の画像を表示する。これによりサービス利用者は、サービス提供者と同一の画像を見ながら、診断結果の説明を受けることができる。ここで、第一表示装置１４０及び第二表示装置２４０の各々は、有機ＥＬ表示パネルを有することから、第一表示装置１４０及び第二表示装置２４０ともに、１以上の画像の輝度及び色度を正確に表示できる。このため、サービス利用者及びサービス提供者は、実質的に同一の画像を見ることができる。また、第一表示装置１４０及び第二表示装置２４０は、同時に１以上の画像を表示してもよい。これにより、サービス利用者は、サービス提供者と同時に同一の画像を見ながら、電話などで診断結果の説明を受けることができる。また、第一表示装置１４０及び第二表示装置２４０は、１以上の画像の色情報を表示する。これにより、サービス利用者は、色情報を参照しながらサービス提供者から診断結果の説明を受けることができる。また、色情報は、色度情報を含んでもよい。これにより、１以上の画像の色度を、映像だけでなく、数値でも確認できる。
【００６９】
また、第一表示装置１４０及び第二表示装置２４０は、同一のレイアウトで１以上の画像を表示してもよい。これにより、サービス利用者の、サービス提供者への説明をより一層容易化できる。
【００７０】
［２−３．輝度補正］
次に、本実施の形態に係る画像診断システムにおける輝度補正について説明する。第一表示装置１４０の第一輝度補正部１４５及び第二表示装置２４０の第二輝度補正部２４５の各々は、実施の形態１に係る表示装置４０と同様に輝度を補正してもよい。
【００７１】
また、実施の形態１に係る表示装置４０と同様に、第一表示装置１４０は、第一表示装置１４０の累積点灯時間を表示してもよく、第二表示装置２４０は、第二表示装置２４０の累積点灯時間を表示してもよい。
【００７２】
第一表示装置１４０と第二表示装置２４０とが、ほぼ同程度に劣化している場合には、各々が輝度を補正することで、両表示装置の輝度を揃えることができる。一方、第一表示装置１４０と第二表示装置２４０との劣化の程度が大幅に異なる場合には、各々の輝度を増大させる補正を行っても両表示装置の輝度を揃えられない。例えば、サービス提供者が使用する第一表示装置１４０は、複数のサービス利用者の画像を診断するために利用され得る。このため、第一表示装置１４０は、サービス利用者が使用する第二表示装置２４０より、１日当たりの点灯時間が長くなり得る。したがって、第一表示装置１４０は、第二表示装置２４０より劣化の程度が大きくなり得る。この場合、第一表示装置１４０の輝度を最大限に補正しても、第一表示装置１４０の輝度が第二表示装置２４０の輝度より大幅に低い。
【００７３】
そこで、本実施の形態では、第二表示装置２４０には、第一表示装置１４０から、第一表示装置１４０の累積点灯時間が送信される。第二表示装置２４０の第二輝度補正部２４５は、第二表示装置２４０の累積点灯時間が、第一表示装置１４０の累積点灯時間より短い場合に、第一表示装置１４０の累積点灯時間に基づいて、第二表示装置２４０の輝度を低減させる補正を行う。具体的には、第二輝度補正部２４５は、有機ＥＬ表示パネル２４４の各有機ＥＬ発光素子に供給する電流を低減させることによって、輝度を低減させる。これにより、第一表示装置１４０及び第二表示装置２４０の輝度を近づけることができる。また、第二輝度補正部２４５は、第一表示装置１４０の累積点灯時間における輝度に、第一表示装置１４０の輝度を一致させてもよい。
【００７４】
また、第一表示装置１４０より、第二表示装置２４０の方が劣化の程度が大きくなる場合にも、同様に輝度を補正できる。すなわち、第一表示装置１４０には、第二表示装置２４０から、第二表示装置２４０の累積点灯時間が送信される。第一表示装置１４０の第一輝度補正部１４５は、第一表示装置１４０の累積点灯時間が、第二表示装置２４０の累積点灯時間より短い場合に、第二表示装置２４０の累積点灯時間に基づいて、第一表示装置１４０の輝度を低減させる補正を行う。
【００７５】
以上のように、第一表示装置１４０と第二表示装置２４０との輝度を揃えることができるため、第一表示装置１４０及び第二表示装置２４０で表示される画像の輝度を揃えることができる。
【００７６】
（その他の実施の形態）
以上、本開示に係る画像診断装置などについて、実施の形態に基づいて説明してきたが、本開示に係る画像診断装置などは、上記実施の形態に限定されるものではない。実施の形態における任意の構成要素を組み合わせて実現される別の実施の形態や、実施の形態に対して本開示の主旨を逸脱しない範囲で当業者が思いつく各種変形を施して得られる変形例も本開示に含まれる。
【００７７】
例えば、表示装置４０において、輝度補正部４５、点灯時間取得部４６及び記憶部４２は、必須の構成要素ではない。第一表示装置１４０及び第二表示装置２４０についても同様である。
【００７８】
また、上記各実施の形態では、撮像装置６０は、マイクロスコープを有したが、撮像装置６０は、診断対象である画像を撮像できる装置であれば、マイクロスコープを有する装置に限定されない。撮像装置６０は、例えば、超音波撮像装置であってもよい。
【００７９】
また、上記実施の形態１では、撮像装置６０は、無線通信を行う第二通信部を有したが、撮像装置６０は、必ずしも第二通信部を有さなくてもよい。例えば、筐体２０が第二通信部を有し、撮像装置６０は、筐体２０に有線通信によって画像データを送信できてもよい。
【産業上の利用可能性】
【００８０】
本開示は、肌などの画像診断に用いられる画像診断装置及び画像診断システムに有用である。
【符号の説明】
【００８１】
１０    画像診断装置
２０    筐体
２２、４７、６７、１４７、２４７    電源
２４    充電部
４０    表示装置
４１、１４１、２４１    第一通信部
４２、６２、１４２、２４２    記憶部
４３、６３、１４３、２４３    制御部
４４、１４４、２４４    有機ＥＬ表示パネル
４５    輝度補正部
４６    点灯時間取得部
４８、１４８、２４８    操作部
６０    撮像装置
６１    第二通信部
６４    撮像素子
６５    マイクロスコープ
１４０    第一表示装置
１４５    第一輝度補正部
１４６    第一点灯時間取得部
１７０    色情報測定装置
２４０    第二表示装置
２４５    第二輝度補正部
２４６    第二点灯時間取得部
【図１】
2020124317.tif 000003
【図２】
2020124317.tif 000004
【図３】
2020124317.tif 000005
【図４】
2020124317.tif 000006
【図５】
2020124317.tif 000007
【図６】
2020124317.tif 000008
【図７】
2020124317.tif 000009
【図８】
2020124317.tif 000010
【図９】
2020124317.tif 000011
【図１０】
2020124317.tif 000012
【図１１】
2020124317.tif 000013
【図１２】
2020124317.tif 000014
【図１３】
2020124317.tif 000015
【図１４】
2020124317.tif 000016
【図１５】
2020124317.tif 000017